(57)【要約】      （修正有）【課題】ハンドストラップの取り付け及び取り外しを簡単に行うことができる携帯装置及び取り付け方法を提供する。【解決手段】ループ部１８を有するストラップ固定用の取付ボス部１５と、取付ボス部１５に装着される固定部１７とを有し、ハンドストラップ１２のループ部１８が、取付ボス部１５に引掛けた状態で取付ボス部１５に固定部１７が固定されることにより、筐体１１に取り付けられる。また、固定部１７は意匠部２１を有する。【選択図】図１
2015130411.tif 000002
【特許請求の範囲】
【請求項１】
筐体に設けられて、ループ部を有するハンドストラップの固定用の取付ボス部と、
前記取付ボス部に装着される固定部と
を有し、
前記ハンドストラップの前記ループ部が、前記取付ボス部に引掛けた状態で前記取付ボス部に前記固定部が固定されることにより、前記筐体に取り付けられる
ことを特徴とする携帯装置。
【請求項２】
前記固定部は、持ち主固有の意匠部を有する
ことを特徴とする請求項１に記載の携帯装置。
【請求項３】
前記固定部と、前記取付ボス部とは、規格が標準化されている
ことを特徴とする請求項１または２に記載の携帯装置。
【請求項４】
前記固定部は、前記筐体の外側に露出する
ことを特徴とする請求項１から３のいずれか一項に記載の携帯装置。
【請求項５】
前記筐体は、前記取付ボス部の周囲に凹部を有し、前記凹部の開口幅と、前記固定部の直径との差は、前記ハンドストラップの前記ループ部の幅よりも小さい
ことを特徴とする請求項１から４のいずれか一項に記載の携帯装置。
【請求項６】
前記取付ボス部及び前記固定部は、ねじ結合される
ことを特徴とする請求項１から５のいずれか一項に記載の携帯装置。
【請求項７】
前記取付ボス部及び前記固定部は、スナップ結合される
ことを特徴とする請求項１から５のいずれか一項に記載の携帯装置。
【請求項８】
筐体に設けられて、ループ部を有するハンドストラップの固定用の取付ボス部と、前記取付ボス部に装着される固定部とを有する携帯装置に対して、前記ハンドストラップの前記ループ部を、前記取付ボス部に引掛けた状態で前記取付ボス部に前記固定部を固定させることにより、前記筐体に取り付ける
ことを特徴とするハンドストラップの取り付け方法。
【発明の詳細な説明】
【技術分野】
【０００１】
本発明は、携帯装置及びハンドストラップの取り付け方法に関する。
【背景技術】
【０００２】
筐体に取り付けられるハンドストラップを備える携帯装置がある。
【０００３】
このような背景に関連する技術としては、様々なものが知られている（例えば、特許文献１参照。）。
【０００４】
例えば、特許文献１には、上側ケース半体のストラップ用支柱にハンドストラップに有するループ部を取り付ける携帯装置が記載されている。より具体的に説明すると、この携帯装置は、上側ケース半体のストラップ用支柱にねじ孔が形成されており、このストラップ用支柱に下側ケース半体のループ状突状を装着させ、ループ状突状に有する貫通孔を介してねじが上側ケース半体のねじ孔にねじ込まれる。このようにして、この携帯装置によっては、両ケース半体が一体化されてストラップ用支柱がねじにより補強されるために、ストラップが強く引張られてもケースの破損をし難くできる。
【０００５】
リアケースにハンドストラップを取り付ける携帯装置がある。
【０００６】
このような背景に関連する技術としては、様々なものが知られている（例えば、特許文献２参照。）。
【０００７】
例えば、特許文献２には、リアケースのねじ受部をストラップ取付用としており、ねじ受部に対してねじがねじ込まれることにより、リアケースがフロントケースに一体的に結合され、ねじ受部を含む空間にバッテリ蓋体が取り付けられる。このようにして、この携帯装置によっては、ハンドストラップが不用意に抜けないようにできる。
【先行技術文献】
【特許文献】
【０００８】
【特許文献１】特開２００２−０１６３７０号公報
【特許文献２】特開２００６−１７３２６８号公報
【発明の概要】
【発明が解決しようとする課題】
【０００９】
近年、持ち運びできる小型の電子機器等には、ハンドストラップを取付ける構造が設けられている。一般的に、ハンドストラップは、ループ部を電子機器等のケースに設けられたアーチ上の小さな穴に一旦通した後、ループ部を引き出して、その中に、手で持つストラップ本体を入れ込んで結び付ける。しかし、このような構造では、取付け作業及び取外し作業について、ループ部を小さな穴に通す等の細かい作業をしなくてはならない。
【００１０】
一方、特許文献１に記載の発明は、ハンドストラップを取り付ける際及びハンドストラップを取り外す際のいずれにおいても、上側ケース半体と上側ケース半体とを分解しなければならず、ハンドストラップの取り付け及び取り外しを簡単に行うことができない。
【００１１】
他方、特許文献２に記載の発明は、ハンドストラップを取り付ける際及びハンドストラップを取り外す際のいずれにおいても、リアケースから蓋体を取り外さなければならないために、ハンドストラップの取り付け及び取り外しを簡単に行うことができない。
【００１２】
本発明の目的は、上述した課題を解決する携帯装置及びハンドストラップの取り付け方法を提供することにある。
【課題を解決するための手段】
【００１３】
上記課題を解決するために、本発明の第１の形態によると、携帯装置であって、ループ部を有するストラップ固定用の取付ボス部と、取付ボス部に装着される固定部とを有し、ハンドストラップのループ部が、取付ボス部に引掛けた状態で取付ボス部に固定部が固定されることにより、筐体に取り付けられる。
【００１４】
ハンドストラップの取り付け方法であって、筐体に設けられて、ループ部を有するハンドストラップの固定用の取付ボス部と、取付ボス部に装着される固定部とを有する携帯装置に対して、ハンドストラップのループ部を、取付ボス部に引掛けた状態で取付ボス部に固定部を固定させることにより、筐体に取り付ける。
【００１５】
なお、上記の発明の概要は、本発明の必要な特徴の全てを列挙したものではない。また、これらの特徴群のサブコンビネーションもまた、発明となり得る。
【発明の効果】
【００１６】
以上の説明から明らかなように、この発明によっては、ハンドストラップの取り付け及び取り外しを簡単に行うことができる。
【図面の簡単な説明】
【００１７】
【図１】一実施形態に係る携帯装置１００の一例の外観斜視図である。
【図２】携帯装置１００の固定部１７における意匠部２１の具体例を説明する外観斜視図である。
【図３】携帯装置１００における凹部周りの平面図である。
【図４】携帯装置１００におけるハンドストラップ１２の取付手順の第１段階を説明する外観斜視図である。
【図５】携帯装置１００におけるハンドストラップ１２の取付手順の第２段階を説明する外観斜視図である。
【図６】携帯装置１００におけるハンドストラップ１２の取付手順の第３段階を説明する外観斜視図である。
【図７】携帯装置１００における他例の固定部３１周りの外観斜視図である。
【発明を実施するための形態】
【００１８】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１９】
図１は、一実施形態に係る携帯装置１００の一例の外観斜視図を示す。図１に示すように、携帯装置１００は、筐体１１と、ハンドストラップ１２と、を備える。ここで、筐体１１とは、携帯端末装置やハンディカメラ等を意味する。
【００２０】
筐体１１には、ハンドストラップ１２を取り付ける端部に、矩形に凹んだ凹部１３を有する。そして、この凹部１３の底面１４に取付ボス部１５が取り付けられている。取付ボス部１５は、例えば、金属製であって、筒形状に形成されており、筐体１１内の板金等の構造物に固定されている。取付ボス部１５には、ハンドストラップ１２に有するループ部１８が引っ掛けられる。取付ボス部１５の内周部には、雌ねじ部１６（図２参照）が形成されている。
【００２１】
ハンドストラップ１２は、一端部にループ部１８を有し、このループ部１８を結束する結束部１９を介して輪形状に形成されたストラップ本体２０を他端部に有する。
【００２２】
図２は、携帯装置１００の固定部１７における意匠部２１の具体例を説明する外観斜視図を示す。図２に示すように、固定部１７は、円板形状に形成された頭部２２と、この頭部２２から取付ボス部１５に向けて突出したねじ軸２３と、を有する。ねじ軸２３には、雄ねじ部２４が形成されている。この雄ねじ部２４と、取付ボス部１５の雌ねじ部１６とは、寸法の規格が標準化されており、固定部１７の雄ねじ部２４と取付ボス部１５の雌ねじ部１６とがねじ結合可能になっている。このとき、固定部１７の頭部２２は、雄ねじ部２４が取付ボス部１５の雌ねじ部１６にねじ結合された状態で、筐体１１の外側に露出する。これは、固定部１７の頭部２２が、筐体１１の内側、すなわち、凹部１３内に埋没した場合、固定部１７の頭部２２を回し難くなるからであり、固定部１７の頭部２２を回し易くするために、あえて、固定部１７の頭部２２を筐体１１の外側に露出させている。
【００２３】
固定部１７の上面には、持ち主固有の意匠部２１を有する。意匠部２１は、具体的に、トランプの、ハートマークＡ、クローバーマークＢ、スペードマークＣ、ダイヤマークＤであり、持ち主の希望によって選ばれた固定部１７のそれぞれの上面に、例えば、塗装等により施されている。なお、持ち主固有の意匠部２１としては、図示したものに限定されず、例えば、星座マークや好みのマーク等を適用することができる。これにより、ユーザーは、持ち主固有のデザインを携帯装置１００に付与でき、カスタマイズすることができる。このとき、雄ねじ部２４と、取付ボス部１５の雌ねじ部１６とは、寸法の規格が標準化されているために、他の種類の固定部１７を好みに応じて選択することができる。なお、意匠部２１は、色彩を伴うのが好ましい。具体的には、ハートマークＡ、ダイヤマークＤを赤色にし、クローバーマークＢ、スペードマークＣを黒色にする等、任意に選ぶことができる。
【００２４】
図３は、携帯装置１００における凹部１３周りの平面図を示す。図３に示すように、筐体１１の凹部１３は、図３中の上方に配置された側面２５と、図３中の両側部に配置された一対の側面２６とを有する。ここで、一対の側面２６が形成する開口幅寸法Ｌ１と、固定部１７の頭部２２の直径寸法Ｌ２と、の偏差は、ハンドストラップ１２のループ部１８の外径寸法Ｌ３よりも小さい。そのため、ハンドストラップ１２のループ部１８が固定部１７の頭部２２の方向へ引っ張られたとしても、頭部２２と側面２６との隙間から抜けないようにできる。
【００２５】
次に、携帯装置１００におけるハンドストラップ１２の取付手順について説明する。図４は、携帯装置１００におけるハンドストラップ１２の取付手順の第１段階を説明する外観斜視図である。図５は、携帯装置１００におけるハンドストラップ１２の取付手順の第２段階を説明する外観斜視図である。図６は、携帯装置１００におけるハンドストラップ１２の取付手順の第３段階を説明する外観斜視図である。
【００２６】
図４に示すように、携帯装置１００におけるハンドストラップ１２の取付手順の第１段階では、固定部１７が取付ボス部１５から取り外される。そして、取付ボス部１５の外側にハンドストラップ１２のループ部１８が引っ掛けられる。
【００２７】
図５に示すように、携帯装置１００におけるハンドストラップ１２の取付手順の第２段階では、ハンドストラップ１２のループ部１８が引っ掛けられている取付ボス部１５の雌ねじ部１６に対して取付ボス部１５の雄ねじ部２４が位置合わせされる。
【００２８】
図６に示すように、携帯装置１００におけるハンドストラップ１２の取付手順の第３段階では、ユーザーの指等によって、固定部１７の頭部２２が回されることにより、固定部１７の雄ねじ部２４が取付ボス部１５の雌ねじ部１６にねじ結合される。
【００２９】
以上説明したように、本実施形態の携帯装置１００は、ハンドストラップ１２のループ部は、取付ボス部１５に引掛けられた状態で取付ボス部１５に固定部１７が固定されることにより、筐体１１に取り付けられる。これにより、従来のもののように、ハンドストラップ１２を取り付ける際及びハンドストラップ１２を取り外す際のいずれにおいても、上側ケース半体と上側ケース半体とを分解する必要がなく、また、リアケースから蓋体を取り外す必要もなく、ハンドストラップ１２の取り付け及び取り外しを簡単に行うことができる。
【００３０】
また、固定部１７は、持ち主固有の意匠部２１を有するために、持ち主固有のデザインを携帯装置１００に付与でき、カスタマイズすることができる。
【００３１】
また、固定部１７と、取付ボス部１５とは、規格が標準化されているために、他の種類の意匠部２１を好みに応じて選択することができる。
【００３２】
また、固定部１７は、筐体１１の外側に露出しているために、固定部１７の頭部２２を回し易くできる。
【００３３】
また、筐体１１は、取付ボス部１５の周囲に凹部１３を有し、一対の側面２６が形成する開口幅寸法Ｌ１と、固定部１７の頭部２２の直径寸法Ｌ２と、の偏差は、ハンドストラップ１２のループ部１８の外径寸法Ｌ３よりも小さい。そのため、ハンドストラップ１２のループ部１８は、固定部１７の頭部２２の方向へ引っ張られたとしても、頭部２２と側面２６との隙間から抜けない。
【００３４】
また、取付ボス部１５及び固定部１７は、ねじ結合されるために、固定部１７を回すという簡単な動作で、ハンドストラップ１２の取り付け及び取り外しを行うことができ、取り扱い性に優れる。
【００３５】
ここで、ねじ結合に代えて、スナップ結合を採用した固定部３１及び取付ボス部３２を適用することもできる。図７は、携帯装置１００における他例の固定部３１周りの外観斜視図を示す。
【００３６】
図７に示すように、固定部３１は、頭部３３の下方に雄スナップ３４が形成されており、取付ボス部３２の内周には、スナップ受３５が形成されている。この場合、前述の取付手順の第３段階において、ユーザーの指等によって、固定部３１の頭部３３が押下されるだけで、固定部３１の雄スナップ３４が取付ボス部３２のスナップ受３５にスナップ結合されることになる。
【００３７】
このように、取付ボス部３２及び固定部３１が、スナップ結合されることにより、ハンドストラップ１２の取り付け及び取り外しに際して、回すという動作を省略できる。
【００３８】
なお、携帯装置１００は、前述した一実施形態に限定するものでなく、適宜な変形や改良等が可能である。
【符号の説明】
【００３９】
１００  携帯装置
１１  筐体
１２  ハンドストラップ
１３  凹部
１４  底面
１５、３２  取付ボス部
１６  雌ねじ部
１７、３１  固定部
１８  ループ部
１９  結束部
２０  ストラップ本体
２１  意匠部
２２、３３  頭部
２３  ねじ軸
２４  雄ねじ部
２５、２６  側面
３４  雄スナップ
３５  スナップ受
【図１】
2015130411.tif 000003
【図２】
2015130411.tif 000004
【図３】
2015130411.tif 000005
【図４】
2015130411.tif 000006
【図５】
2015130411.tif 000007
【図６】
2015130411.tif 000008
【図７】
2015130411.tif 000009